【手続補正書】
【提出日】平成20年1月30日(2008.1.30)
【手続補正１】
【補正対象書類名】明細書
【補正対象項目名】発明の名称
【補正方法】変更
【補正の内容】
【発明の名称】情報処理装置および情報処理方法
【手続補正２】
【補正対象書類名】明細書
【補正対象項目名】特許請求の範囲
【補正方法】変更
【補正の内容】
【特許請求の範囲】
【請求項１】  印刷装置の濃度特性を調整するキャリブレーションの実行を制御する情報処理装置であって、
キャリブレーションを実行すべきタイミングを判定する判定手段と、
前記判定手段によってキャリブレーションを実行すべきタイミングであると判定されてからの累積印刷枚数をカウントするカウント手段と、
次の印刷ジョブの有無を判断する判断手段と、
前記累積印刷枚数と前記判断手段の判断結果とに基づき、キャリブレーションの実行タイミングを制御する制御手段とを有し、
前記制御手段は前記判断手段によって次の印刷ジョブが無いと判断された場合は、前記キャリブレーションを実行するように制御を行い、
前記判断手段によって次の印刷ジョブが有ると判断され、かつ、前記累積印刷枚数が所定枚数を越えていない場合は、前記キャリブレーションが実行されないように制御を行い、
前記判断手段によって次の印刷ジョブが有ると判断され、かつ、前記累積印刷枚数が前記所定枚数を超えている場合は、前記キャリブレーションを実行するように制御を行うことを特徴とする情報処理装置。
【請求項２】  前記所定枚数は任意に設定可能であることを特徴とする請求項１に記載の情報処理装置。
【請求項３】  印刷装置の濃度特性を調整するキャリブレーションの実行を制御するための情報処理方法であって、
キャリブレーションを実行すべきタイミングを判定する判定工程と、
前記判定工程によってキャリブレーションを実行すべきタイミングであると判定されてからの累積印刷枚数をカウントするカウント工程と、
次の印刷ジョブの有無を判断する判断工程と、
前記累積印刷枚数と前記判断工程の判断結果とに基づき、キャリブレーションの実行タイミングを制御する制御工程とを有し、
前記制御工程は、前記判断工程によって次の印刷ジョブが無いと判断された場合は、前記キャリブレーションを実行するように制御を行い、
前記判断工程によって次の印刷ジョブが有ると判断され、かつ、前記累積印刷枚数が所定枚数を越えていない場合は、前記キャリブレーションが実行されないように制御を行い、
前記判断工程によって次の印刷ジョブが有ると判断され、かつ、前記累積印刷枚数が前記所定枚数を超えている場合は、前記キャリブレーションを実行するように制御を行うことを特徴とする情報処理方法。
【請求項４】  情報処理装置に、印刷装置の濃度特性を調整するキャリブレーションの実行を制御する処理を実行させるプログラムであって、前記処理は、
キャリブレーションを実行すべきタイミングを判定する判定工程と、
前記判定工程によってキャリブレーションを実行すべきタイミングであると判定されてからの累積印刷枚数をカウントするカウント工程と、
次の印刷ジョブの有無を判断する判断工程と、
前記累積印刷枚数と前記判断工程の判断結果とに基づき、キャリブレーションの実行タイミングを制御する制御工程とを有し、
前記制御工程は、前記判断工程によって次の印刷ジョブが無いと判断された場合は、前記キャリブレーションを実行するように制御を行い、
前記判断工程によって次の印刷ジョブが有ると判断され、かつ、前記累積印刷枚数が所定枚数を越えていない場合は、前記キャリブレーションが実行されないように制御を行い、
前記判断工程によって次の印刷ジョブが有ると判断され、かつ、前記累積印刷枚数が前記所定枚数を超えている場合は、前記キャリブレーションを実行するように制御を行うことを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理装置および情報処理方法に関し、詳しくは、ホスト装置から送られる印刷ジョブに応じて印刷を実行する印刷装置における印刷特性を一定のもとするためのキャリブレーションに関するものである。
【手続補正４】
【補正対象書類名】明細書
【補正対象項目名】００１３
【補正方法】変更
【補正の内容】
【００１３】
本発明は、このような課題を解消するためになされたものであり、その目的とするところは、印刷装置において印刷ジョブが連続的に実行される場合に、ジョブの途中や各ジョブ間でのキャリブレーションの実行、およびそれによる印刷の中断をできるだけ抑制するとともに、印刷特性の低下を適切に防止できるキャリブレーションを実行可能な情報処理装置および情報処理方法を提供することにある。
【手続補正５】
【補正対象書類名】明細書
【補正対象項目名】００１４
【補正方法】変更
【補正の内容】
【００１４】
【課題を解決するための手段】
そのために本発明では、印刷装置の濃度特性を調整するキャリブレーションの実行を制御する情報処理装置であって、
キャリブレーションを実行すべきタイミングを判定する判定手段と、前記判定手段によってキャリブレーションを実行すべきタイミングであると判定されてからの累積印刷枚数をカウントするカウント手段と、次の印刷ジョブの有無を判断する判断手段と、前記累積印刷枚数と前記判断手段の判断結果とに基づき、キャリブレーションの実行タイミングを制御する制御手段とを有し、前記制御手段は前記判断手段によって次の印刷ジョブが無いと判断された場合は、前記キャリブレーションを実行するように制御を行い、前記判断手段によって次の印刷ジョブが有ると判断され、かつ、前記累積印刷枚数が所定枚数を越えていない場合は、前記キャリブレーションが実行されないように制御を行い、前記判断手段によって次の印刷ジョブが有ると判断され、かつ、前記累積印刷枚数が前記所定枚数を超えている場合は、前記キャリブレーションを実行するように制御を行うことを特徴とする。
【手続補正６】
【補正対象書類名】明細書
【補正対象項目名】００１５
【補正方法】変更
【補正の内容】
【００１５】
また、印刷装置の濃度特性を調整するキャリブレーションの実行を制御するための情報処理方法であって、キャリブレーションを実行すべきタイミングを判定する判定工程と、前記判定工程によってキャリブレーションを実行すべきタイミングであると判定されてからの累積印刷枚数をカウントするカウント工程と、次の印刷ジョブの有無を判断する判断工程と、前記累積印刷枚数と前記判断工程の判断結果とに基づき、キャリブレーションの実行タイミングを制御する制御工程とを有し、前記制御工程は、前記判断工程によって次の印刷ジョブが無いと判断された場合は、前記キャリブレーションを実行するように制御を行い、前記判断工程によって次の印刷ジョブが有ると判断され、かつ、前記累積印刷枚数が所定枚数を越えていない場合は、前記キャリブレーションが実行されないように制御を行い、前記判断工程によって次の印刷ジョブが有ると判断され、かつ、前記累積印刷枚数が前記所定枚数を超えている場合は、前記キャリブレーションを実行するように制御を行うことを特徴とする。
【手続補正７】
【補正対象書類名】明細書
【補正対象項目名】００１６
【補正方法】変更
【補正の内容】
【００１６】
以上の構成によれば、次の印刷ジョブが無いと判断された場合は、キャリブレーションを実行するように制御を行い、次の印刷ジョブが有ると判断され、かつ、累積印刷枚数が所定枚数を越えていない場合は、キャリブレーションが実行されないように制御を行い、次の印刷ジョブが有ると判断され、かつ、上記累積印刷枚数が上記所定枚数を超えている場合は、キャリブレーションを実行する。これにより、例えば、それぞれの印刷枚数が比較的少ないジョブが連続して実行される際には、上記所定枚数に応じて、連続するジョブとジョブとの間でキャリブレーションが実行され、また、それによって印刷が中断することを抑制することが可能となる。また、この場合に、上記所定枚数を、例えばキャリブレーションを実行しないことによって生じる実際の印刷品位の劣化の程度を考慮して定めることにより、キャリブレーションを実行しないことによる顕著な印刷品位の劣化を防止することができる。
【手続補正８】
【補正対象書類名】明細書
【補正対象項目名】００８０
【補正方法】変更
【補正の内容】
【００８０】
【発明の効果】
以上説明したように、本発明によれば、次の印刷ジョブが無いと判断された場合は、キャリブレーションを実行するように制御を行い、次の印刷ジョブが有ると判断され、かつ、累積印刷枚数が所定枚数を越えていない場合は、キャリブレーションが実行されないように制御を行い、次の印刷ジョブが有ると判断され、かつ、上記累積印刷枚数が上記所定枚数を超えている場合は、キャリブレーションを実行する。これにより、例えば、それぞれの印刷枚数が比較的少ないジョブが連続して実行される際には、上記所定枚数に応じて、連続するジョブとジョブとの間でキャリブレーションが実行され、また、それによって印刷が中断することを抑制することが可能となる。また、この場合に、上記所定枚数を、例えばキャリブレーションを実行しないことによって生じる実際の印刷品位の劣化の程度を考慮して定めることにより、キャリブレーションを実行しないことによる顕著な印刷品位の劣化を防止することができる。